(57)【要約】【課題】    引出しを踏み台として使用する場合において、部品点数及びコストを抑制することができる引出し及びそれが収容されたキャビネット並びにこのキャビネットを有する洗面化粧台ユニットを提供する。【解決手段】    側板４と背板２と底板３とを有して略箱形に形成された箱本体１５がキャビネット１４に収容される引出し１であって、キャビネット表面に露出する前板７が、箱本体１５の上端面１２から略板厚分だけ突出した上端部の先端部１７で、箱本体１５に回動自在に支持されてなることを特徴とする引出し１及びそれが収容されたキャビネット１４並びにこのキャビネット１４を有する洗面化粧台ユニット１６である。【選択図】図１
2006055543.tif 000002
【特許請求の範囲】
【請求項１】
側板と背板と底板とを有して略箱形に形成された箱本体がキャビネットに収容される引出しであって、キャビネット表面に露出する前板が、箱本体の上端面から略板厚分だけ突出した上端部の先端部で、箱本体に回動自在に支持されてなることを特徴とする引出し。
【請求項２】
箱本体が、背板と対向する位置に内前板を備えて形成されてなることを特徴とする請求項１に記載の引出し。
【請求項３】
箱本体の底側前面に、前板の下端部を着脱自在に係止する係止部が設けられたことを特徴とする請求項１又は２に記載の引出し。
【請求項４】
箱本体の上端面に、前板の表面よりも少なくとも硬度の低い突起部が設置されたことを特徴とする請求項１〜３のいずれかに記載の引出し。
【請求項５】
前板の裏面に防滑部が設けられていることを特徴とする請求項１〜４のいずれかに記載の引出し。
【請求項６】
請求項１〜５のいずれかに記載の引出しが収容されたことを特徴とするキャビネット。
【請求項７】
最下段部の引出しが、請求項１〜５のいずれかに記載の引出しである請求項６に記載のキャビネット。
【請求項８】
請求項６又は７のいずれかに記載のキャビネットを有する洗面化粧台ユニット。
【発明の詳細な説明】
【技術分野】
【０００１】
本発明は、引出し及びそれが収容されたキャビネット並びにこのキャビネットを有する洗面化粧台ユニットに関するものである。
【背景技術】
【０００２】
従来から、洗面化粧台ユニットにおいては使用者が成人であることを想定した仕様となっている場合が多いことから、幼児等の背の低い人が使用する場合には、該ユニットが有するキャビネットに収容される引出しを踏み台として使用することが一般的に行われている。
【０００３】
ここで引出しを踏み台として使用する技術としては、実開平０５−７６３８５号公報（特許文献１）に開示されている技術がある。これは、引出しとして使用する小物入れ用箱部と、その上端入口を閉塞可能に設けられ、踏み板として使用する方形板状の蓋とからなり、蓋が上端入口を閉塞した時に、幼児等がこれを踏み台として使用することができる技術である。
【特許文献１】実開平０５−７６３８５号公報
【発明の開示】
【発明が解決しようとする課題】
【０００４】
ところが、引出しと別個に踏み板を設置するため、部品点数が多くなり、コストアップとなることが懸念される。
【０００５】
本願発明は、上記背景技術に鑑みて発明されたものであり、その課題は、引出しを踏み台として使用する場合において、部品点数及びコストを抑制することができる引出し及びそれが収容されたキャビネット並びにこのキャビネットを有する洗面化粧台ユニットを提供することである。
【課題を解決するための手段】
【０００６】
上記課題を解決するために、本願発明は、側板と背板と底板とを有して略箱形に形成された箱本体がキャビネットに収容される引出しであって、キャビネット表面に露出する前板が、箱本体の上端面から略板厚分だけ突出した上端部の先端部で、箱本体に回動自在に支持されてなることを特徴とする引出しである。
【発明の効果】
【０００７】
本願発明によれば、引出しを踏み台として使用する場合において、キャビネット表面に露出する前板は、箱本体に回動自在に支持されている先端部を中心として略４分の３回転回動されると、その板厚部分が、箱本体の上端面とその上端面から略板厚分だけ突出した上端部の先端部との間に略収まって、表面が箱本体の上端面に略水平に支持されることで、踏み板として使用することができるので、引出しと別個に踏み板を設置する必要がなく、部品点数及びコストを抑制した引出しを提供することができる。
【発明を実施するための最良の形態】
【０００８】
図１及び図２は、本願の請求項１〜８すべてに対応した第１実施形態である引出し及びそれが収容されたキャビネット並びにこのキャビネットを有する洗面化粧台ユニットを示している。
【０００９】
本実施形態の引出し１は、図１及び図２に示す如く、側板４と背板２と底板３とを有して略箱形に形成された箱本体１５がキャビネット１４に収容される引出し１であって、キャビネット表面に露出する前板７が、箱本体１５の上端面１２から略板厚分だけ突出した上端部の先端部１７で、箱本体１５に回動自在に支持されてなっている。この場合に、箱本体１５が、背板２と対向する位置に内前板６を備えて形成されてなっている。
【００１０】
又、本実施形態の引出し１は、図１及び図２に示す如く、箱本体１５の底側前面に、前板７の下端部を着脱自在に係止する係止部５が設けられている。この場合に、箱本体１５の上端面１２に、前板７の表面よりも少なくとも硬度の低い突起部１３が設置されている。さらにこの場合に、前板７の裏面に防滑部８が設けられている。
【００１１】
又、本実施形態のキャビネット１４は、上述の引出し１が収容されている。この場合に、最下段部の引出しが、上述の引出し１である。
【００１２】
又、本実施形態の洗面化粧台ユニット１６は、上述のキャビネット１４を有している。
【００１３】
以下、本実施形態による引出し１及びそれが収容されたキャビネット１４並びにこのキャビネット１４を有する洗面化粧台ユニット１６をより具体的詳細に説明する。
【００１４】
最初に、引出し１について説明する。これは図１（ａ）に示す如く、キャビネット表面に露出する前板７が、箱本体１５の上端面１２から略板厚分だけ突出した上端部の先端部１７で、回動自在に支持されており、前板７がこの先端部１７を中心として回動して、前板７の表面が箱本体１５の上端面１２、詳しくは突起部１３（詳細後述）に略水平に支持されることが可能なものである。本実施形態では、前板７は蝶番１８によって箱本体１５を形成する内前板６に回動自在に支持されている。この支持は、前板７の上端部に蝶番１８の正方形平板固定部１０が固定され、内前板６の上端部に蝶番１８のＬ字形固定部１１が固定されることでなされている。
【００１５】
これにより前板７は、箱本体１５に回動自在に支持されている先端部１７を中心として略４分の３回転回動されると、その板厚部分が、箱本体１５の上端面１２とその上端面１２から略板厚分だけ突出した上端部の先端部１７との間に略収まって、表面が箱本体１５の上端面１２、詳しくは突起部１３に略水平に支持されることが可能である。なお蝶番１８の形状や前板７への固定箇所は、前板７が箱本体１５の上端面１２、詳しくは突起部１３に略水平に支持されることが可能であれば任意のものを選択することができる。同様に蝶番１８は内前板６に固定される以外にも、側板４又は、内前板６と側板４の両方にかかるように固定されても良い。
【００１６】
また箱本体１５は、背板２と、底板３と、側板４と、内前板６とで形成されている。本実施形態では、底板３の長辺に側板４を対向して備え、底板３の短辺に背板２と内前板６を対向して備えている。背板２、底板３、側板４、内前板６の材質、寸法はキャビネットへの収容寸法等を考慮して任意のものを選択することができる。
【００１７】
さらに箱本体１５には、その底側前面に、前板７の下端部を着脱自在に係止する係止部５が設けられている。本実施形態では、底板の前端部に弾性的に変形可能である略Ｌ字形の係止部５が設けられており、これが弾性的に変形し、前板７の下端部を係止するようになっている。なお前板７を回動させる場合には、係止部５の先端をやや下方に押し下げることで前板７の係止を解除することができる。なお係止部５は箱本体１５の底側前面の全面に設けられていても、その一部に設けられていても良く、また材質も弾性的に変形可能であるものに限られず、吸盤、面ファスナー、磁石等を例示できる。
【００１８】
また箱本体１５の上端面１２には、前板７の表面より少なくとも硬度の低い突起部１３が設置されている。本実施形態では、前板７が箱本体１５の上端面１２、詳しくは突起部１３に略水平に支持された場合に、前板７の下端部付近に相当する位置の側壁４に突起部１３が設置されている。突起部の材質は前板７の表面より少なくとも硬度の低いものであれば、任意のものを選択することができるが、前板７の表面を保護する点からゴム、エラストマ、ばね等の弾性材料を選択することが好ましい。また突起部の形状は任意のものを選択することができる。
【００１９】
さらに前板７の裏面には、防滑部８が設けられている。本実施形態では、防滑部８が前板７の裏面全体に設けられている。防滑部としては、粘着性のあるゴムシートの貼り付け、表面に滑り止めの溝や凹凸を設けたゴムシートの貼り付け、前板７の裏面への溝欠き等、任意のものを使用できる。
【００２０】
次に、引出し１が収容されたキャビネット１４及びこのキャビネット１４を有する洗面化粧台ユニット１６について説明する。これは図２に示す如く、引出し１を含む複数の引出しが収容されたキャビネット１４及びこのキャビネット１４を有する洗面化粧台ユニット１６であって、引出し１がキャビネット１４の最下段部に収容されているものである。本実施形態では、引出し１がキャビネット１４の３段目に収容され、その上に通常の引出しが２段重ねて収容されている。
【００２１】
従って、本実施形態の引出し１によれば、キャビネット表面に露出する前板７は、箱本体１５に回動自在に支持されている先端部１７を中心として略４分の３回転回動されると、その板厚部分が、箱本体１５の上端面１２とその上端面１２から略板厚分だけ突出した上端部１２の先端部１７との間に略収まって、表面が箱本体１５の上端面１２、詳しくは突起部１３に略水平に支持されることで、踏み板として使用することができるので、引出しと別個に踏み板を設置する必要がなく、部品点数及びコストを抑制することができ、さらに昇降動作を安全に行うことができる。
【００２２】
また本実施形態の引出し１によれば、背板２と対向する位置に内前板６を備えているので、前板７を踏み板として使用する場合に、箱本体１５内の物品が落下することがない。
【００２３】
また本実施形態の引出し１によれば、箱本体の底側前面に、前板７の下端部を着脱自在に係止する係止部５が設けられているので、前板７の下端部を係止部５に係止することで、箱本体１５をキャビネット１４から引き出す場合に、前板７がぐらつくことなく作業性を損なうことがない。
【００２４】
また本実施形態の引出し１によれば、前板の表面より少なくとも硬度の低い突起部１３が設置されているので、前板７を踏み板として使用する場合に、その表面を保護することができる。
【００２５】
また本実施形態の引出し１によれば、前板７の裏面に防滑部８が設けられているので、前板７を踏み板として使用する場合に安全に使用することができる。
【００２６】
また本実施形態の引出し１が収容されたキャビネット１４によれば、上述の引出し１を含む複数の引出しが収容されているので、部品点数及びコストを抑制することができる。さらに最下段部の引出しが、上述の引出し１であるので、引出し１を踏み台として使用する場合に、キャビネット１４自体が転倒する恐れが少なく、安全に使用することができる。また前板７の表面の材質、形状は任意のものを選択できるので、キャビネット表面の装飾、デザインの自由度が制限されない。
【００２７】
また本実施形態の洗面化粧台ユニット１６によれば、上述のキャビネット１４を有しているので、部品点数及びコストを抑制することができる。
【００２８】
次に本願発明の第２実施形態を図３に示す。これは前記第１実施形態の引出しにおいて、内前板６を備えていないこと、内前板６を備えていないので、前記第１実施形態において、内前板６の上端部に固定されていたＬ字形固定部１１に代えて、長方形固定部９を用い、これが側板の前面上端部に固定されること、としたものであり、その他については第１実施形態と同じである。これにより、内前板６を設置せず、かつ蝶番１８の構成にＬ字形固定部１１のような複雑形状のものを用いないことから、さらにコストを抑制することができる。
【図面の簡単な説明】
【００２９】
【図１】本願発明の第１実施形態である引出しにおける、（ａ）は前板が回動前の状態を示す側面図、（ｂ）は前板が回動した状態を示す側面図である。
【図２】本願発明の第１実施形態であるキャビネット及びこのキャビネットを有する洗面化粧台ユニットにおける、（ａ）は前板が回動前の状態を示す斜視図、（ｂ）は前板が回動した状態を示す斜視図である。
【図３】本願発明の第２実施形態である引出しにおける、（ａ）は前板が回動前の状態を示す側面図、（ｂ）は前板が回動した状態を示す側面図である。
【符号の説明】
【００３０】
１  引出し
２  背板
３  底板
４  側板
５  係止部
６  内前板
７  前板
８  防滑部材
１２  上端面
１３  突起部
１４  キャビネット
１５  箱本体
１６  洗面化粧台ユニット
１７  先端部
【図１】
2006055543.tif 000003
【図２】
2006055543.tif 000004
【図３】
2006055543.tif 000005